(57)【要約】【課題】ＩＣカードの形状の縦横比に左右されることなくＩＣカードの着脱動作を円滑に行うことができること。【解決手段】ＩＣカード２の横幅の半分に相当する長さを有するアーム部３２Ａを備えるイジェクタ部材３２は、その底板部３２Ｌ、被係合部３２ｋが孔１２ＢＨ，１２ＢＫに係合されてＩＣカード２の着脱方向に沿って移動可能とされるもの。【選択図】        図１
2004241158.tif 000002
【特許請求の範囲】
【請求項１】
ＩＣカードを収容し、該ＩＣカードと外部配線部との電気的接続を行う収容部を有するカード収容部と、
前記ＩＣカードの着脱方向に沿って移動可能に配され該ＩＣカードの一方の端部中央から側部までの部分を支持するカード支持部を有するイジェクタ部材と、
前記イジェクタ部材に前記ＩＣカードの着脱動作を行なわせる駆動手段と、
を備え、
前記イジェクタ部材における前記カード収容部の底面部に対向する部分は、複数箇所で該カード収容部の底面部に係合し前記着脱方向に沿って移動可能に案内されることを特徴とするＩＣカード用コネクタ。
【請求項２】
前記イジェクタ部材は、前記ＩＣカードの着脱方向に沿って延在する基部と、該基部に連なり該着脱方向に対し略直交する方向に延びるアーム部とからなり、該基部およびアーム部における前記カード収容部の底面部に対向する複数の部分が、前記カード収容部の底面部に設けられる孔に係合されて案内されることを特徴とする請求項１記載のＩＣカード用コネクタ。
【請求項３】
前記イジェクタ部材の基部およびアーム部における前記カード収容部の底面部に対向する部分が、底板部により連結されることを特徴とする請求項２記載のＩＣカード用コネクタ。
【請求項４】
前記イジェクタ部材が前記着脱方向に沿って最大距離に移動したとき、該イジェクタ部材の移動方向に対し略直交する方向に沿った該イジェクタ部材および前記ＩＣカードの移動を規制すべく、前記アーム部材がカード収容部を形成する壁部の開口部の周縁に係合される少なくとも一つの突起部を有することを特徴とする請求項２記載のＩＣカード用コネクタ。
【発明の詳細な説明】
【０００１】
【発明の属する技術分野】
本発明は、ＩＣカードの着脱機構を備えるＩＣカード用コネクタに関する。
【０００２】
【従来の技術】
携帯電話機等の電子機器においては、中央処理装置（ＣＰＵ）あるいはメモリ用の集積回路が内蔵されるＳＩＭ（ｓｕｂｓｃｒｉｂｅｒ  ｉｄｅｎｔｉｔｙ  ｍｏｄｕｌｅ）カード、ＭＭＣ（ｍｕｌｔｉ  ｍｅｄｉａ  ｃａｒｄ）カード（商標）、ＳＤ（ｓｅｃｕｒｅ  ｄｉｇｉｔａｌ）カード、メモリスティック（商標）などのＩＣカードをその各機器にＩＣカード用コネクタを介して装着することにより、各種の機能拡張などを行うようにしている。
【０００３】
ＭＭＣカード用のカード用コネクタは、例えば、特許文献１にも示されるように、縦長のＩＣカードの収容部に対してのＩＣカードの着脱を行うイジェクト機構を備えている。イジェクト機構は、例えば、ＩＣカードの収容部に配されるＩＣカードの一方の端部を押圧するとともにその収容部内から外部に向けてＩＣカードを排出するイジェクタ部材と（特許文献１においてはカムレバーと称する）、イジェクタ部材に隣接して配され、イジェクタ部材の一端をＩＣカードの排出方向に回転させるイジェクトレバー部材と、を含んで構成されている。
【０００４】
このような構成において、ＩＣカードが収容部に挿入されて装着されるとき、ＩＣカードがイジェクタ部材に対して所定量、収容部の内方に向けて押圧される。これにより、イジェクタ部材に伴って移動せしめられたイジェクトレバー部材が初期位置に戻されるとき、ＩＣカードが収容部内に確実に保持されることとなる。一方、ＩＣカードが収容部から取り外される場合、イジェクトレバー部材が所定量、押圧される。これにより、回転せしめられたイジェクタ部材の一端によりＩＣカードの一端が排出方向に向けて押圧され移動せしめられる。
【０００５】
また、イジェクト機構においては、特許文献２にも示されるように、上述のようなイジェクト部材が設けられることなく、縦長のＩＣカード自体が着脱方向に沿って操作されることによってＩＣカードが排出されるとき、ＩＣカードの着脱方向に沿って移動可能に配されるイジェクタ部材が、ＩＣカードの一方の端部の角部近傍および側部を支持すると共に押圧する構成も提案されている。
【０００６】
【特許文献１】
特許第３３０６３９５号公報
【０００７】
【特許文献２】
特開２００１−３５７９３１号公報
【０００８】
【発明が解決しようとする課題】
ＩＣカードにおいて、例えば、特に、その横幅の寸法がその縦方向の寸法に比して長く設定されている場合、即ち、ＩＣカードの形状が横長の場合、上述のように、収容されるＩＣカードの一方の端部の角部近傍および側部を支持するとともに押圧するイジェクタ部材を介して着脱動作が行なわれるとき、概ねＩＣカードの一方の端部の角部により不安定な状態で押圧することとなるので操作されるＩＣカードに回転モーメントが作用し易く、従って、ＩＣカードに作用する回転モーメントによりＩＣカードの着脱方向に対して傾いた姿勢でカード収容部に対し着脱される虞がある。このような場合、ＩＣカードの外周部がカード収容部に干渉することにより、着脱操作が円滑に行なわれない場合もある。
【０００９】
以上の問題点を考慮し、本発明は、ＩＣカードの着脱機構を備えるＩＣカード用コネクタであって、ＩＣカードの形状の縦長比に左右されることなくＩＣカードの着脱動作を円滑に行うことができるＩＣカード用コネクタを提供することを目的とする。
【００１０】
【課題を解決するための手段】
上述の目的を達成するために、本発明に係るＩＣカード用コネクタは、ＩＣカードを収容し、ＩＣカードと外部配線部との電気的接続を行う収容部を有するカード収容部と、ＩＣカードの着脱方向に沿って移動可能に配されＩＣカードの一方の端部中央から側部までの部分を支持するカード支持部を有するイジェクタ部材と、イジェクタ部材に前記ＩＣカードの着脱動作を行なわせる駆動手段と、
を備え、イジェクタ部材におけるカード収容部の底面部に対向する部分は、複数箇所でカード収容部の底面部に係合し着脱方向に沿って移動可能に案内されることを特徴とする。
【００１１】
また、イジェクタ部材は、ＩＣカードの着脱方向に沿って延在する基部と、基部に連なり着脱方向に対し略直交する方向に延びるアーム部とからなり、基部およびアーム部におけるカード収容部の底面部に対向する複数の部分が、カード収容部の底面部に設けられる孔に係合されて案内されるものでもよい。
【００１２】
さらに、イジェクタ部材の基部およびアーム部におけるカード収容部の底面部に対向する部分が、底板部により連結されるものでもよい。
【００１３】
イジェクタ部材が着脱方向に沿って最大距離に移動したとき、イジェクタ部材の移動方向に対し略直交する方向に沿ったイジェクタ部材およびＩＣカードの移動を規制すべく、アーム部材が、カード収容部を形成する壁部の開口部の周縁に係合される少なくとも一つの突起部を有するものでもよい。
【００１４】
【発明の実施の形態】
図２および図３は、それぞれ、本発明に係るＩＣカード用コネクタの一例の外観を示す。
【００１５】
図２に示されるＩＣカード用コネクタは、例えば、その収納部に着脱可能に収納されるＩＣカード２（図１３参照）の電極部と所定の電子機器の内部に配される信号入出力用等の基板の接続端子部とを電気的に接続するものとされる。ＩＣカード用コネクタは、例えば、携帯電話機、電話機、ＰＤＡ、カメラ等の電子機器の内部に配されるものとされる。
【００１６】
薄板状のＩＣカード２は、例えば、図１３および図１４に示されるように、フラッシュメモリカードである従来のＭＭＣ（ｍｕｌｔｉ  ｍｅｄｉａ  ｃａｒｄ）カード（商標）の大きさよりも小なる大きさのマルチメディアカード（リデュースサイズマルチメディアカード）とされる。ＩＣカード２の外形寸法、例えば、全長、幅、厚さ、重さは、それぞれ、１８、２４、１．４（ｍｍ）、０．８（ｇ）とされる。従って、従来のＭＭＣカードが、幅に比べて全長が長い縦長の形状であるのに対し、一方、ＩＣカード２は、横長の形状とされる。但し、ＩＣカード２の電極数、機能は、従来のＭＭＣカードの電極数、機能と同様とされる。
【００１７】
ＩＣカード２は、図１３において、矢印が示すカードの挿入方向に向って左前方となる角に、誤挿入防止用の傾斜部である面取部２Ｃを有している。ＩＣカード２は、図１３および図１４に示されるように、相対向して広がる表層部２Ａおよび２Ｂを有している。表層部２Ａには、後述されるコンタクト端子の配列に対応した複数の電極パッド２Ｐｉ（ｉ＝１〜ｎ，ｎは正の整数）がカード挿入方向に略直交する方向、即ち、幅方向に一列に所定の間隔で互いに平行となるようにその前端近傍に形成されている。また、図１３において、表層部２Ａの後端の中央部には、ＩＣカード２の着脱のとき、把持される把持部２Ｅが形成されている。さらに、表層部２Ａおよび２Ｂの外周縁部には、他の部分の厚さに比して薄い段差部２Ｄが両側端および前端に亘って所定の均一の幅で形成されている。ＩＣカード２がカード収容部に挿入されるとき、段差部２Ｄは、後述するベース部材の開口端に係合される。
【００１８】
カード用コネクタは、図２および図３に示されるように、収容されるＩＣカード２に対する電気的接続を行う複数のコンタクト端子等が配列されるベース部材１２と、ベース部材１２と協働してＩＣカード２のカード収容室を形成するカバー部材１０とを含んで構成されている。
【００１９】
金属製のカバー部材１０は、図２において、その平坦部の左右の両側部にそれぞれ、ベース部材１２の両側面をそれぞれ覆う折曲部１０Ｌおよび１０Ｒを相対向して有している。折曲部１０Ｌは、樹脂で成形されたベース部材１２の側面部に一体に形成される爪部１２ＮＡＬおよび１２ＮＢＬにそれぞれ係合される透孔１０ａおよび１０ｂを有している。また、折曲部１０Ｌにおける透孔１０ｂに隣接した位置には、平坦部に対し平行に突出するように側面部から折り曲げられる固定部１０ｔが一体に形成されている。固定部１０ｔは、図示が省略される電子機器の内部に配される基板上に固定される。
【００２０】
折曲部１０Ｒは、樹脂で成形されたベース部材１２の側面部に一体に形成される爪部１２ＮＡＲ、１２ＮＢＲおよび１２ＮＣＲ（図４および６参照）にそれぞれ係合される透孔１０ａ、１０ｂ、および、１０ｃを有している。また、折曲部１０Ｒにおける透孔１０ｂ、および、１０ｃの間の位置には、図３に示されるように、平坦部に対し平行に突出するように側面部から折り曲げられる固定部１０ｔが一体に形成されている。固定部１０ｔは、図示が省略される電子機器の内部に配される基板上に固定される。
【００２１】
図２において、開口端を形成するカバー部材１０の前端部における左端近傍には、透孔１０ｆを有する折曲片１０Ｆが一体に形成されている。透孔１０ｆは、ベース部材１２の開口端の周縁の一方側に設けられる爪部１２ＮＦに係合される。
【００２２】
図２において、カバー部材１０の後端部には、折曲部１０Ｂが一体に形成されている。折曲部１０Ｂは、平坦部の端に連なって形成され、ベース部材１２の後端部を覆うものとされる。折曲部１０Ｂの一方の端に隣接した位置には、後述するリターンスプリングの端部を支持するスプリング受部１０Ｄが平坦部と一体に形成されている。
【００２３】
平坦部におけるスプリング受部１０Ｄに隣接した位置には、そのリターンスプリングに対向するように開口部１０ｅが形成されている。カバー部材１０の平坦部における後述するベース部材１２内の各コンタクト端子にそれぞれ対向する位置には、透孔１０ｄｉ（ｉ＝１〜ｎ，ｎは正の整数）が所定の間隔で形成されている。これにより、ＩＣカード２がカード収容室に装着されるとき、弾性変位せしめられた各コンタクト端子の接点部が透孔１０ｄｉを通じて外部に露出される。
【００２４】
また、平坦部には、一対の押圧片１０Ｐが所定の間隔をもって相対向して形成されている。押圧片１０Ｐの基端は、平坦部に一体に形成され、また、押圧片１０Ｐの自由端は、その弾性力により変位可能とされる。これにより、ＩＣカード２がカード収容室に装着されるとき、押圧片１０Ｐの自由端が所定量変位しＩＣカード２の外面を付勢することによってＩＣカード２の排出のとき、ＩＣカード２の急峻な飛び出しが規制されることとなる。
【００２５】
ベース部材１２は、図４および６に示されるように、ＩＣカード２が収容されるカード収容部１８と、後述するリターンスプリング３４により付勢されるイジェクト機構におけるイジェクタ部材３２を摺動可能に案内する駆動機構収容部２２とを含んで構成されている。
【００２６】
また、図４において、ベース部材１２の左側部の外周面部と上述のカバー部材１０の内面部との間には、イジェクト機構における駆動制御機構部を収容する制御機構収容部２０が形成されている。
【００２７】
カード収容部１８は、カバー部材１０とベース部材１２とにより囲まれた内部空間として形成されている。カード収容部１８における一方の端部には、図２に示されるように、着脱されるＩＣカード２が通過する開口部１６が形成されている。開口部１６の周縁部の両端には、図４に示されるように、それぞれ、前壁部１２ＷＦおよび側壁部１２ＷＲが形成されている。
【００２８】
前壁部１２ＷＦおよび側壁部１２ＷＲの上端には、図６に示されるように、着脱されるＩＣカード２の段差部２Ｄに係合されＩＣカード２を案内するガイド部１６ｇａおよび１６ｇｂが内方に向けて突出している。
【００２９】
前壁部１２ＷＦの外周面の前面部および側壁部１２ＷＲの外周面には、それぞれ、図４に示されるように、上述したカバー部材１０の透孔１０ｆ、１０ａ，１０ｂ，１０ｃに係合される爪部１２ＮＦ、爪部１２ＮＡＲ、１２ＮＢＲ、１２ＮＣＲが形成されている。
【００３０】
前壁部１２ＷＦの内周面における駆動機構収容部２２の前方側となる位置には、後述するイジェクタ部材３２の初期位置を規制する初期位置規制面１２ＷＦＳが形成されている（図４および図１１参照）。
【００３１】
側壁部１２ＷＲの他端部には、カード収容部１８を取り囲むように後壁部１２ＷＢの一端が連結されている。後壁部１２ＷＢの他端部側の内周部には、図６および図７に示されるように、後述するイジェクタ部材３２に選択的に係合される凹面部１２ＷＢＲ、外部とカード収容部１８の内部とを連通させる開口部１２ＷＢＨ、およびイジェクタ部材３２の最大移動量を規制する最大移動位置規制面１２ＷＢＣが形成されている。最大移動位置規制面１２ＷＢＣには、リターンスプリング３４が通過するＵ字形の切欠部１２ＷＢＳが形成されている。
【００３２】
また、後壁部１２ＷＢにおける開口部１２ＷＢＨと後壁部１２ＷＢにおける側壁部１２ＷＲとの連結端との間には、図３に示されるように、コンタクト端子１１ａｉ（ｉ＝１〜ｎ，ｎは正の整数）の固定部が圧入されるスリットを有する貫通孔１２Ｇｉ（ｉ＝１〜ｎ，ｎは正の整数）が複数個、所定の間隔で形成されている。コンタクト端子１１ａｉは、ＩＣカード２の電極パッド２Ｐｉに接触する接点部と、配線基板の導電層に半田付け固定される端子部と、上述のスリットに圧入されその接点部と端子部とを連結する固定部とを含んでなる。
【００３３】
また、開口部１２ＷＢＨの周縁にも、図３に示されるように、所定の間隔で貫通孔１２Ｇｉが形成されている。さらに、図７に示されるように、開口部１２ＷＢＨの周縁における最左端の貫通孔１２Ｇｉと隣接する貫通孔１２Ｇｉとの間、その最右端の貫通孔１２Ｇｉと隣接する貫通孔１２Ｇｉとの間、その中央部分の隣接する貫通孔１２Ｇｉ相互間には、それぞれ、比較的浅い溝１２ＧＡ、１２ＧＣ、および１２ＧＢが形成されている。溝１２ＧＡ、１２ＧＣ、および１２ＧＢには、それぞれ、後述するイジェクタ部材３２の突起部３２ＰＡ，３２ＰＢ，および３２ＰＣが選択的に係合される。
【００３４】
カード収容部１８の底面部には、図３および図８に示されるように、位置決めピン１２ＰＡおよび１２ＰＢが設けられる平面におけるイジェクタ部材３２のアーム部の先端部に対向した位置に、略長方形の孔１２ＢＨが、その孔を形成する長辺が側壁部１２ＷＲに対し平行となるように形成されている。孔１２ＢＨを形成する周縁の長辺の長さは、例えば、約５ｍｍ程度とされるイジェクタ部材３２のストローク量に応じて設定されている。孔１２ＢＨを形成する周縁の短辺の長さは、イジェクタ部材３２のアーム部の先端部の一部が係合されると共に移動可能となるように所定の隙間をもって設定されている。また、その底面部における孔１２ＢＨに所定の間隔をもって隣接する位置には、イジェクタ部材３２の底板部が移動可能に係合される孔１２ＢＫが形成されている。
【００３５】
孔１２ＢＫの開口面積は、孔１２ＢＨの開口面積に比して大とされる。孔１２ＢＫを形成する周縁部は、矩形状部１２ｂｔと、矩形状部１２ｂｔに連なる台形部１２ｂｋｓとからなる。矩形状部１２ｂｔと台形部１２ｂｋｓとの境界部分には、段差部１２ｂｋが形成されている。
【００３６】
さらに、カード収容部１８の底面部において、駆動機構収容部２２に対向する部分には、細長い孔１２ｂｇが所定の長さで孔１２ＢＨに対し略平行に形成されている。孔１２ｂｇには、イジェクタ部材３２の底部に設けられる突起部３２ｇｂがＩＣカード２の着脱方向に沿って移動可能に係合されている。
【００３７】
カード収容部１８に隣接して形成される駆動機構収容部２２は、後壁部１２ＷＢと前壁部１２ＷＦとの間であって、側壁部１２ＷＬにより囲まれて形成されている。駆動機構収容部２２には、イジェクタ部材３２の基部３２ＢがＩＣカード２の着脱方向に沿って摺動可能に配されている。前壁部１２ＷＦにおけるイジェクタ部材３２の基部３２Ｂの角に対向する部分には、イジェクタ部材３２の位置決め部３２Ｒ２が係合される段部１２ＷＦａが形成されている。また、前壁部１２ＷＦの内面には、イジェクタ部材３２が初期位置にあるとき、イジェクタ部材３２の基部３２Ｂの端面が当接する初期位置規制面１２ＷＦＳが形成されている。
【００３８】
イジェクタ部材３２は、図９および図１０に示されるように、後壁部１２ＷＢに対し平行に延びるアーム部３２Ａと、アーム部３２Ａに略直交するようにアーム部３２Ａの基端と一体に形成される基部３２Ｂと、アーム部３２Ａの底面部と基部３２Ｂの底面部とを連結する薄板状の底板部３２Ｌとからなる。
【００３９】
アーム部３２Ａの長さは、その先端が装着されたＩＣカード２の端部の略中央部に到達するように設定されている。アーム部３２Ａの上面部には、図９に示されるように、上述の後壁部１２ＷＢの溝１２ＧＡ、１２ＧＢ、および１２ＧＣにそれぞれ選択的に係合する突起部３２ＰＡ，３２ＰＢ、および３２ＰＣが所定の間隔で互いに平行に形成されている。一方、アーム部３２Ａの先端の底部には、上述の孔１２ＢＨの周縁に移動可能に係合されて案内される被係合部３２ｋが形成されている。
【００４０】
基部３２Ｂは、その中央部にリターンスプリング３４の一端部が収容されるスプリング収容部３２ｇｓを有している。スプリング収容部３２ｇｓにおける後壁部１２ＷＢ側の一方の開口端部には、上述の後壁部１２ＷＢの開口部１２ＷＢＨの周縁に選択的に係合される位置規制面３２Ｒ１が形成されている。基部３２Ｂにおけるアーム部３２Ａが連結される部分の内面側には、装着されたＩＣカード２の面取部２Ｃを支持する斜面部３２Ｓが形成されている。斜面部３２Ｓの一方の端には、後述する底板部３２Ｌに対向して位置決め部３２Ｒ２が形成されている。位置決め部３２Ｒ２の端部は、イジェクタ部材３２が初期位置をとるとき、前壁部１２ＷＦの段部１２ＷＦａに当接するものとされる。
【００４１】
従って、カード支持部がアーム部３２Ａ，斜面部３２Ｓ，基部３２Ｂにより形成されることとなる。
【００４２】
基部３２Ｂにおける制御機構収容部２０側の面には、制御機構の一部を構成する案内溝３６が形成されている。
【００４３】
案内溝３６は、図９に示されるように、後述するレバー部材４０の一方の端部が移動されるべき移動経路を形成している。即ち、案内溝３６は、イジェクタ部材３２の進行または後退時、そのレバー部材４０の端部を案内する共通路３６ｃと、共通路３６ｃから分岐して形成されイジェクタ部材３２が進行時、そのレバー部材４０の端部を案内する進行路３６ｆと、共通路３６ｃから分岐して形成されイジェクタ部材３２が後退時、そのレバー部材４０の端部を案内する後退路３６ｒと、進行路３６ｆの一端部と後退路３６ｒの一端部とを連結し、そのレバー部材４０の一端部をカム部３６Ｈのカム面に導くカム通路３６ｈとを連なって含んで構成されている。
【００４４】
カム部３６Ｈは、進行路３６ｆ、後退路３６ｒ、およびカム通路３６ｈにより取り囲まれるように形成されている。カム部３６Ｈのカム面は、ＩＣカード２が完全に収容されたとき、レバー部材４０の一端を保持するものとされる。
【００４５】
イジェクタ部材３２の底板部３２Ｌは、図１０に示されるように、カード収容部１８の底面部の孔１２ＢＫに移動可能に係合するように対応した形状を有している。その際、底板部３２Ｌは、底板部３２Ｌの主要な表面がカード収容部１８の底面部の外面と共通の平面上にあるように係合されている。従って、底板部３２Ｌの板厚に相当する部分が嵌まりあうので底板部３２Ｌの板厚分だけカード収容部１８の高さが高くなる虞がない。また、底板部３２Ｌは、孔１２ＢＫの周縁における段差部１２ｂｋに対応して凹部３２Ｌｒが形成されている。従って、底板部３２Ｌが基部３２Ｂとアーム部３２Ａとを連結するように設けられることにより、基部３２Ｂおよびアーム部３２Ａにおける剛性が補強されることとなる。その結果、イジェクタ部材３２においてＩＣカード２の厚さ方向に対応する高さを低減する場合、底板部３２Ｌは、剛性の観点から特に有効とされる。
【００４６】
また、イジェクタ部材３２の基部３２Ｂの底面部には、底板部３２Ｌに隣接して突起部３２ｇｂがイジェクタ部材３２の移動方向に平行に延在している。
【００４７】
制御機構収容部２０内に収容される制御機構は、図１１および１２に示されるように、上述の案内溝３６と、一端がその案内溝３６に案内され他端が前壁部１２ＷＦの側面に支持されるレバー部材４０と、レバー部材４０の一端を案内溝３６の案内面に対し付勢するカムレバー押え３８とを含んで構成されている。
【００４８】
矩形状のレバー部材４０は、前壁部１２ＷＦの孔１２ｈに回転可能に係合される他端部と、上述の案内溝３６に案内される一端部と、一端部と他端部とを連結する連結部とから構成されている。
【００４９】
カムレバー押え３８は、図１１および図１２に示されるように、その基端が前壁部１２ＷＦの側面に設けられる孔１２ｗｈに圧入されることにより、レバー部材４０の一端を先端部３８Ａで付勢するように前壁部１２ＷＦに支持されている。
【００５０】
このような構成において、ＩＣカード２がカード収容部１８に装着されるとき、即ち、図１に示されるように、ＩＣカード２の挿入する方向に沿ってイジェクタ部材３２がリターンスプリング３４の付勢力に抗して進行後、レバー部材４０が保持される場合、レバー部材４０の一端は、共通路３６ｃ、進行路３６ｆを通じて案内された後、カム通路３６ｈを通じてカム部３６Ｈのカム面に、スプリング３４の付勢力により保持されることとなる。
【００５１】
その際、イジェクタ部材３２は、そのアーム部３２Ａの被係合部３２ｋ、底板部３２Ｌ、突起部３２ｇｂがそれぞれ、孔１２ＢＨ、孔１２ＢＫ、孔１２ｂｇの周縁に係合され、かつ、ＩＣカード２の２辺および面取部２Ｃがイジェクタ部材３２に受け止められるのでＩＣカード２が傾いた姿勢で挿入される虞がない。しかも、アーム部３２Ａの被係合部３２ｋがＩＣカード２の端部の略中央部分の位置まで延在しているのでＩＣカード２の装着のとき、ＩＣカード２に作用される操作力によりＩＣカード２に回転モーメントが生じる虞もない。
【００５２】
イジェクタ部材３２が最大距離、移動したとき、図７に示されるように、アーム部３２Ａの突起部３２ＰＡ、３２ＰＢ、および３２ＰＣが、それぞれ、後壁部１２ＷＢの溝１２ＧＡ，１２ＧＢ，および１２ＧＣに嵌合せしめられる。また、イジェクタ部材３２の基部３２Ｂの端部が後壁部１２ＷＢの開口部１２ＷＢＨ内に挿入される。従って、イジェクタ部材３２およびＩＣカード２が、ＩＣカード２の幅方向に沿ってずれる虞がない。
【００５３】
一方、ＩＣカード２の排出のとき、即ち、イジェクタ部材３２の一端がさらに押圧されることにより、レバー部材４０の一端が一旦、カム面から離れカム通路３６ｈを通じて進行した後、後退路３６ｒおよび共通路３６ｃに案内され後退されることとなる。そして、イジェクタ部材３２が摺接しながら後退するのでカムレバー押え部材３５の先端部３８Ａの位置は、図１２に示されるように、レバー部材４０の端近傍の位置となる。
【００５４】
なお、上述の例においては、本発明の一例がＭＭＣカードが装着されるカード用コネクタについて適用されているが、斯かる例に限られることなく、例えば、ＳＤ（ｓｅｃｕｒｅ  ｄｉｇｉｔａｌ）カード、メモリスティック（商標）などのＩＣカードなどが装着されるカード用コネクタについて適用されてもよいことは勿論である。
【００５５】
【発明の効果】
以上の説明から明らかなように、本発明に係るＩＣカード用コネクタによれば、イジェクタ部材はＩＣカードの着脱方向に沿って移動可能に配されＩＣカードの一方の端部中央から側部までの部分を支持するカード支持部を有し、しかも、イジェクタ部材におけるカード収容部の底面部に対向する部分が、複数箇所でカード収容部の底面部に係合しＩＣカードの着脱方向に沿って移動可能に案内されることによりイジェクタ部材およびＩＣカードが作用される操作力により傾く虞がないのでＩＣカードの形状における縦横比に左右されることなくＩＣカードの着脱動作を円滑に行うことができる。
【図面の簡単な説明】
【図１】本発明に係るＩＣカード用コネクタの一例の構成を、装着されたＩＣカードとともに示す平面図である。
【図２】本発明に係るＩＣカード用コネクタの一例の外観を示す斜視図である。
【図３】図２に示される例において、底面部から見た外観を示す斜視図である。
【図４】本発明に係るＩＣカード用コネクタの一例の構成を概略的に示す平面図である。
【図５】図４に示される例の構成をカバー部材の一部とともに概略的に示す平面図である。
【図６】図４に示される例における構成を概略的に示す斜視図である。
【図７】図４に示されるイジェクタ部材が最大に移動したときの状態を示す斜視図である。
【図８】図４に示される例において、ベース部材を底面部側から見た斜視図である。
【図９】図４に示される例において用いられるイジェクタ部材を示す斜視図である。
【図１０】図９に示される例においてイジェクタ部材を底板部側から見た斜視図である。
【図１１】図４に示される例において用いられる駆動機構制御部の案内溝およびレバー部材を示す斜視図である。
【図１２】図４に示される例において用いられる駆動機構制御部の全体構成を示す平面図である。
【図１３】本発明に係るＩＣカード用コネクタの一例に用いられるＩＣカードの一方の面から見た平面図である。
【図１４】本発明に係るＩＣカード用コネクタの一例に用いられるＩＣカードの他方の面から見た平面図である。
【符号の説明】
２    ＩＣカード
１１ａｉ    コンタクト端子
１２    ベース部材
１２ＢＨ，１２ＢＫ    孔
１８    カード収容部
２０    制御機構収容部
２２    駆動機構収容部
３２    イジェクタ部材
３２ＰＡ，３２ＰＢ、３２ＰＣ    突起部
３２Ｌ    底板部
３２ｋ    被係合部
３４    リターンスプリング
３６    案内溝
【図１】
2004241158.tif 000003
【図２】
2004241158.tif 000004
【図３】
2004241158.tif 000005
【図４】
2004241158.tif 000006
【図５】
2004241158.tif 000007
【図６】
2004241158.tif 000008
【図７】
2004241158.tif 000009
【図８】
2004241158.tif 000010
【図９】
2004241158.tif 000011
【図１０】
2004241158.tif 000012
【図１１】
2004241158.tif 000013
【図１２】
2004241158.tif 000014
【図１３】
2004241158.tif 000015
【図１４】
2004241158.tif 000016